(57)【要約】【課題】鼻隠し以外にも、軒樋を水平に固定することができる軒樋固定用支持具を提供すること。【解決手段】本発明は、固定具１０と軒樋支持具１１とからなる軒樋固定用支持具１である。固定具１０は、鼻隠し３または軒天井２に取り付けるための取付面４０を有する取付部４を一端に備えるとともに、第一傾斜面５０を有する連結部５を他端に備える。軒樋支持具１１は、軒樋６を水平に支持する軒樋支持部７を備えるとともに、一端に第二傾斜面８０を有する被連結部８を備える。連結部５と被連結部８は、第一傾斜面５０と第二傾斜面８０を当接させて着脱自在に連結している。そして、取付面４０を鼻隠し３に取り付ける状態から、固定具１０を第二傾斜面８０の面上で１８０度回転させた状態が、取付面４０を軒天井２に取り付ける状態となるように設けている。【選択図】図１
2012112159.tif 000002
【特許請求の範囲】
【請求項１】
鼻隠しまたは軒天井に取り付けるための取付面を有する取付部を一端に備えるとともに、
第一傾斜面を有する連結部を他端に備えた固定具と、
軒樋を水平に支持する軒樋支持部を備えるとともに、一端に第二傾斜面を有する被連結部を備えた軒樋支持具と、からなり、
前記第一傾斜面と前記第二傾斜面を当接させて前記連結部と前記被連結部とを着脱自在に連結し、
前記取付面を前記鼻隠しに取り付ける状態から、前記固定具を前記第二傾斜面の面上で１８０度回転させた状態が、前記取付面を前記軒天井に取り付ける状態となるように設けたことを特徴とする軒樋固定用支持具。
【請求項２】
前記固定具は、前記取付部と前記連結部の間の長さが調整自在であることを特徴とする請求項１に記載の軒樋固定用支持具。
【請求項３】
前記軒樋支持具は、前記軒樋支持部と前記被連結部の間の長さが調整自在であることを特徴とする請求項１または２に記載の軒樋固定用支持具。
【請求項４】
前記第一傾斜面と前記取付面とのなす角が４５度であることを特徴とする請求項１〜３のいずれかに記載の軒樋固定用支持具。
【請求項５】
前記固定具は、一端に前記取付部を接続するとともに他端に前記連結部を接続した接続部を備え、
前記取付部の前記取付面は、前記接続部が接続する部分を中心に互いに逆方向に突出する第１取付面と、第二取付面とからなり、
前記第一取付面の突出長さを前記第二取付面の突出長さよりも長く設け、
前記第一取付面に、前記第二取付面よりも多数の固着孔を設けることを特徴とする請求項１〜４のいずれかに記載の軒樋固定用支持具。
【発明の詳細な説明】
【技術分野】
【０００１】
本発明は、軒樋を軒先に固定する軒樋固定用支持具に関するものである。
【背景技術】
【０００２】
従来から、図７に示すような、軒樋を軒先に固定する軒樋固定用支持具１００が提案されている（特許文献１等参照）。
【０００３】
この軒樋固定用支持具１００は、軒先の鼻隠し（図示せず）に取り付けるための取付面１０１を有する取付部１０２と、この取付部１０２に連結するとともに軒樋（図示せず）を支持する軒樋支持部１０３と、から構成される。
【０００４】
この軒樋固定用支持具１００は、鼻隠しに取付面１０１を当接させて固定することで、軒樋を水平に支持することができる。
【先行技術文献】
【特許文献】
【０００５】
【特許文献１】特開２００９−１２１１９６号公報
【発明の概要】
【発明が解決しようとする課題】
【０００６】
しかし、上述した構成の軒樋固定用支持具１００では、固定先である鼻隠しが経年劣化等で破損していたり変形している場合に、軒樋を水平に固定することが難しいという問題があった。
【０００７】
そこで、本願発明は、鼻隠し以外にも、軒樋を水平に固定することができる軒樋固定用支持具を提供することを課題とする。
【課題を解決するための手段】
【０００８】
上記課題を解決するための本発明の軒樋固定用支持具は、鼻隠しまたは軒天井に取り付けるための取付面を有する取付部を一端に備えるとともに、第一傾斜面を有する連結部を他端に備えた固定具と、軒樋を水平に支持する軒樋支持部を備えるとともに、一端に第二傾斜面を有する被連結部を備えた軒樋支持具と、からなり、前記第一傾斜面と前記第二傾斜面を当接させて前記連結部と前記被連結部とを着脱自在に連結し、前記取付面を前記鼻隠しに取り付ける状態から、前記固定具を前記第二傾斜面の面上で１８０度回転させた状態が、前記取付面を前記軒天井に取り付ける状態となるように設けたことを特徴とする。
【０００９】
また、前記固定具は、前記取付部と前記連結部の間の長さが調整自在であることが好ましい。
【００１０】
また、前記軒樋支持具は、前記軒樋支持部と前記被連結部の間の長さが調整自在であることが好ましい。
【００１１】
また、前記第一傾斜面と前記取付面とのなす角は４５度であることが好ましい。
【００１２】
また、前記固定具は、一端に前記取付部を接続するとともに他端に前記連結部を接続した接続部を備え、前記取付部の前記取付面は、前記接続部が接続する部分を中心に互いに逆方向に突出する第一取付面と、第二取付面とからなり、前記第一取付面の突出長さを前記第二取付面の突出長さよりも長く設け、前記第一取付面に、前記第二取付面よりも多数の固着孔を設けることが好ましい。
【発明の効果】
【００１３】
本発明の軒樋固定用支持具は、鼻隠し以外にも、軒樋を水平に固定することができる。
【図面の簡単な説明】
【００１４】
【図１】本発明の第一の実施形態の軒樋固定用支持具を軒先に取り付けた状態の正面図を示し、（ａ）は鼻隠しに取り付けた状態であり、（ｂ）は軒天井に取り付けた状態である。
【図２】同上の軒樋固定用支持具の斜視図を示し、（ａ）は鼻隠しに取り付ける状態であり、（ｂ）は軒天井に取り付ける状態である。
【図３】本発明の第二の実施形態の軒樋固定用支持具を軒先に取り付けた状態の正面図を示し、（ａ）は鼻隠しに取り付けた状態であり、（ｂ）は軒天井に取り付けた状態である。
【図４】同上の軒樋固定用支持具の斜視図を示し、（ａ）は鼻隠しに取り付ける状態であり、（ｂ）は軒天井に取り付ける状態である。
【図５】同上の軒樋固定用支持具の正面断面図を示し、（ａ）は鼻隠しに取り付ける状態であり、（ｂ）は軒天井に取り付ける状態である。
【図６】本発明の第一および第二の実施形態の軒樋固定用支持具を、軒天井と鼻隠しのなす角がαの軒先に固定する場合の説明図である。
【図７】従来の軒樋固定用支持具の斜視図である。
【発明を実施するための形態】
【００１５】
以下、本発明の実施形態の一例を添付図面に基づいて説明する。
【００１６】
本発明の第一の実施形態の軒樋固定用支持具１は、図１（ａ），（ｂ）に示すように、屋根２０を流れる雨水を受けて地上や下水道に導く溝形の軒樋６を、軒先に水平に固定するためのものである。以下において、軒樋固定用支持具１は、鼻隠し３に固定した状態（図１（ａ）の状態）を基準とし、鼻隠し３が正対する方向（図１（ａ）における左方向）を前方とし、その逆方向（図１（ａ）における右方向）を後方として説明する。また、図１（ａ）中で奥側となる方向を右方向とし、図１（ａ）中で手前側となる方向を左方向とする。なお、本明細書では、屋根２０の裏側の天井のうち、鼻隠し３よりも前方部分を軒天井２という。本実施形態では、軒天井２は水平な外壁面であり、鼻隠し３は鉛直な外壁面であるから、軒天井２と鼻隠し３のなす角度は９０度となっている。
【００１７】
軒樋固定用支持具１は、軒樋６を支持する軒樋支持具１１と、軒先（鼻隠し３または軒天井２）に固定される固定具１０とから構成される。軒樋支持具１１は、この固定具１０に着脱自在に連結される。
【００１８】
固定具１０は、図１（ａ），（ｂ）に示すように、鼻隠し３または軒天井２に固定される取付部４と、軒樋支持具１１に連結する連結部５と、取付部４と連結部５とを接続する接続部９と、から構成される。取付部４と連結部５は、接続部９の一端（前端）と他端（後端）にそれぞれ一体に接続されている。
【００１９】
取付部４と連結部５は、図２（ａ）に示すように、それぞれ略矩形板状に形成されていて、接続部９は、前後に延びる柱状に形成されている。接続部９の後端部に、取付部４の前面が一体に接続されている。そして、接続部９の前端部に、連結部５の後面が一体に接続されている。ここで、接続部９の後端部は、取付部４の前面のうち、一方の端部（上端部）寄りに、一体に接続されている。
【００２０】
取付部４は、その後面が、鼻隠し３または軒天井２に取り付けるための取付面４０となっている。ここで、図１（ａ）に示すように、取付面４０のうち、接続部９が接続する部分を中心として、下側の面を第一取付面４１とし、上側の面を第二取付面４２とする。つまり、取付面４０は、接続部９が接続する部分を中心に、互いに逆方向に延びる（突出する）第一取付面４１と、第二取付面４２とからなる。第一取付面４１の上下方向の長さ（突出長さ）は、第二取付面４２の上下方向の長さ（突出長さ）よりも長くなっている。
【００２１】
また、取付部４には、図２（ａ）に示すように、その前面と取付面４０とを貫通する固着孔４３が複数（図では８つ）設けられている。固着孔４３は、取付面４０の四隅にそれぞれ１つずつと、その周りにさらに１つずつ設けてある。詳しくは、固着孔４３は、第一取付面４１の下端部に左右方向に並んで４つ設けてあり、第二取付面４２の左右両端部に上下方向に並んで２つずつ設けてある。つまり、第一取付面４１には、第二取付面４２よりも左右方向に多数の固着孔４３が並んで設けられている。
【００２２】
以上のように固着孔４３を配置することで、取付面４０の四隅以外の固着孔４３は、軒天井２から離れた位置となるようにそれぞれ配置されているため、本実施形態の取付部４は、施工（ねじや釘等の固着具の挿入）がしやすいものとなっている。なお、第一取付面４１及び第二取付面４２に設ける固着孔４３の数は、上述した数に限定されず、第一取付面４１が第二取付面４２よりも多数の固着孔４３を有していればよい。この固着孔４３に、ねじや釘等の固着具（図示せず）を挿入することで、取付部４は鼻隠し３に固定される。
【００２３】
連結部５は、図１（ａ）に示すように、その前面が、第一傾斜面５０となっている。本実施形態では、この第一傾斜面５０と、取付部４の取付面４０とのなす角が、４５°となるように、接続部９の両端に連結部５と取付部４とがそれぞれ一体に接続されている。
【００２４】
矩形板状の連結部５には、その四隅に、第一傾斜面５０とその後面とを貫通する挿入孔４４がそれぞれ１つずつ形成されている。ここで、４つの挿入孔４４のうち、対角線上に位置する二つの挿入孔４４は、連結部５の第一傾斜面５０の中心位置を基準に点対称に形成されている。
【００２５】
軒樋６を支持する軒樋支持具１１は、図１（ａ）に示すように、連結部５に連結する被連結部８と、軒樋６を支持する軒樋支持部７とから構成される。軒樋支持部７の一端（後端部）に、略矩形板状の被連結部８が一体に接続している。
【００２６】
軒樋支持部７は、図１（ａ）に示すように、前端部と後端部にそれぞれ係止部７０を備えている。この二つの係止部７０，７０に、軒樋６の前後の上端部の被係止部６０，６０をそれぞれ係止させることで、軒樋６は軒樋支持部７に吊り支持される。軒樋６は、底面６１がフラットな溝状である。そして、底面６１の前端部からの立ち上がり部６２が、底面６１の後端部からの立ち上がり部６３よりも上方に長く形成されている。この前端部の立ち上がり部６２は、屋根２０から流れ落ちる雨水の勢いが強い場合に、その雨水を受ける部分となる。この上方向への長さの異なる立ち上がり部６２，６３の上端部にそれぞれ被係止部６０，６０が設けられている。
【００２７】
本実施形態では、被連結部８は、連結部５と同大同形の略矩形板状に形成されている。被連結部８は、その後面が、連結部５の第一傾斜面５０に当接させる第二傾斜面８０となっている。そして、被連結部８の前面には、軒樋支持部７の後端部が一体に接続されている。
【００２８】
本実施形態では、被連結部８は、水平面に対して第二傾斜面８０のなす角が４５°となるように、軒樋支持部７に接続されている。
【００２９】
略矩形板状の被連結部８には、連結部５と同様に、その四隅に、第二傾斜面８０とその前面とを貫通する挿入孔４５が形成されている。ここで、対角線上に位置する二つの挿入孔４５は、被連結部８の第二傾斜面８０の中心位置を基準に、点対称に形成されている。この第二傾斜面８０の中心位置を基準として第一傾斜面５０を１８０度回転させる前と、回転させた後の両方で、連結部５の挿入孔４４と被連結部８の挿入孔４５が一致して連通状態となるように設けている。なお、この回転させる前と、回転させた後の両方で、連結部５の挿入孔４４と被連結部８の挿入孔４５が一致して連通状態となるのであれば、上述した数や配置以外で挿入孔４４，４５を連結部５と被連結部８にそれぞれ設けてもよい。
【００３０】
本実施形態では、この挿入孔４４，４５を連通させた状態で、この挿入孔４４，４５にボルト４６を挿入し、ナット４７で締め付けすることで、連結部５と被連結部８は連結される。
【００３１】
なお、連結部５と被連結部８の挿入孔４４，４５を設けた位置に、互いに引き合う磁石を設ける等して、連結部５と被連結部８を磁力で連結するようにしてもよい。また、連結部５に挿入孔４４を設け、被連結部８に突起を設けて、その突起が挿入孔４４に係止する（爪嵌合を行う）ようにしてもよい。逆に、連結部５に突起を設けて、被連結部８にその突起が係止する挿入孔４５を設けてもよい。
【００３２】
以上のように構成した本実施形態の軒樋固定用支持具１は、図１（ａ）に示すように、固定具１０の取付面４０が鼻隠し３に平行に位置するようにできるし、図１（ｂ）に示すように、固定具１０の取付面４０が軒天井２に平行に位置するようにもできる。ここで、両状態において、軒樋６は水平に支持される。
【００３３】
つまり、本実施形態の軒樋固定用支持具１は、取付面４０を鼻隠し３に取り付ける状態から、固定具１０を第二傾斜面８０の面上で１８０度回転させた状態が、取付面４０を軒天井２に取り付ける状態となる。
【００３４】
ここで、固定具１０の取付面４０を軒天井２に平行に位置させた状態では、接続部９から離れた第一取付面４１に大きなモーメントが発生する。しかし、本実施形態の軒樋固定用支持具１では、第一取付面４１に多数の固着孔４３を設けているので、この部分を確実に固定することができる。また、この状態では、多数の固着孔４３を備えた第一取付面４１が、鼻隠し３から遠い側に位置することとなるので、本実施形態の軒樋固定用支持具１は、軒天井２への施工（ねじや釘等の固着具の挿入）がし易いものとなっている。
【００３５】
上述した本実施形態の軒樋固定用支持具１の使用方法の一例について説明する。
【００３６】
軒天井２または鼻隠し３のうち、破損や変形の程度が小さいほうに、軒樋固定用支持具１の固定具１０の取付部４の取付面４０を当接させ、固定する。このとき、第一取付面４１は、軒天井２と鼻隠し２の接する部分から離れる側に配置される。そして、固定具１０の連結部５の第一傾斜面５０に、被連結部８の第二傾斜面８０を当接させ、挿入孔４４，４５を連通させて、ボルト４６を挿入し、そのボルト４６にナット４７を締める。そして、軒樋支持部７の係止部７０、７０に軒樋６の被係止部６０，６０を係止させる。
【００３７】
本実施形態の軒樋固定用支持具１は、上述のような構成としたことで、軒天井２と鼻隠し３の両方に、軒樋６を水平に支持した状態で、固定することができる。そのため、軒天井２が経年劣化等で、破損していたり変形していたりして、軒天井２への固定が困難な場合には、鼻隠し３に軒樋固定用支持具１を固定することができる。また、逆に鼻隠し３が破損していたり変形していたりする場合には、軒天井２に軒樋固定用支持具１を固定することができる。
【００３８】
また、連結部５と被連結部８は、それぞれ同大同形の略矩形板で形成し、それぞれ中心位置を基準として点対称に挿入孔４４，４５を設けているので、外郭を一致させるようにすることで、挿入孔４４，４５同士を簡単に連通させることができる。
【００３９】
なお、被連結部８は、連結部５と同大同形の略矩形板で形成しなくてもよく、第二傾斜面８０の中心位置を基準として第一傾斜面５０を１８０度回転させる前と、回転させた後の両方で、連結部５の挿入孔４４に連通する位置に挿入孔４５を設けていればよい。
【００４０】
続いて、第二の実施形態の軒樋固定用支持具１について説明する。以下、第一の実施形態と同様の構成については、図面に同じ符号を付して説明を省略し、第一の実施形態と異なる構成について詳しく説明する。
【００４１】
第二の実施形態の軒樋固定用支持具１は、図３（ａ）に示すように、固定具１０の取付部４を鼻隠し３に固定する場合、固定具１０の接続部９が、前後に伸縮自在なものとなっている。また、図３（ｂ）に示すように、固定具１０の取付部４を軒天井２に固定する場合、固定具１０の接続部９が、上下に伸縮自在なものとなっている。つまり、取付部４を鼻隠し３に固定する場合と軒天井２に固定する場合の両場合において、取付部４と連結部５の間の長さが調整自在となっている。また、軒樋支持具１１の軒樋支持部７は、前後に伸縮自在なものとなっている。つまり、軒樋支持部７と被連結部８の間の長さが調整自在となっている。
【００４２】
詳しくは、本実施形態では、図３（ａ），図４（ａ）に示すように、接続部９が、ガイド部９０と、このガイド部９０に沿って前後にスライドするスライド部９１から構成される。
【００４３】
ガイド部９０は、その後端部が取付部４の前面に一体に接続されている。ガイド部９０は、前後に延びる角管状に形成されていて、その前端部に上下方向に貫通する貫通孔９２が設けてある。
【００４４】
スライド部９１は、その前端部が連結部５の後面に一体に接続されている。スライド部９１は、前後に延びる角管状に形成されていて、その外周面がガイド部９０の内周面に沿ってスライド移動する。スライド部９１には、その後端部に前後方向に延びるスライド孔９５を上下に貫通させて設けてある。
【００４５】
スライド部９１の後端部をガイド部９０の前端部内に挿入すると、貫通孔９２とスライド孔９５が上下方向に揃う。この状態で、貫通孔９２及びスライド孔９５にボルト９３を下方から貫通し、その上端部に蝶ナット９４を取り付ける。この蝶ナット９４は、手締め可能なものとなっている。なお、ボルト９３は、蝶ナット９４ではなく、六角ナット等で締め付けるものであってもよい。
【００４６】
以上のようにして組み立てた接続部９は、蝶ナット９４を緩めて、スライド部９１を前後に動かすことで、前後方向の長さを調整することができる。蝶ナット９４を締めれば、その締めた位置で、接続部９の前後方向の長さを固定できる。なお、図３（ａ），図４（ａ）の状態から、固定具１０を第二傾斜面８０の面上で１８０度回転させると（図３（ｂ），図４（ｂ）参照）、接続部９は、上下方向の長さを調整することができる。
【００４７】
軒樋支持部７は、案内部７１と、この案内部７１に沿って摺動する摺動部７２から構成される。
【００４８】
案内部７１は、その後端部が被連結部８の前面に一体に接続されている。案内部７１は、下方が開口した溝状に形成されていて、その前端部に上下方向に貫通する貫通孔７６が設けてある。
【００４９】
摺動部７２は、その前端部と後端部に係止部７０，７０をそれぞれ備えていて、中央部が前後に延びる角管状に形成されている。この中央部の外周面が案内部７１の内周面に沿って摺動する。この中央部には、前後方向に延びるスライド孔７５を上下に貫通させて設けてある。
【００５０】
摺動部７２の中央部を案内部７１の前端部内に挿入すると、貫通孔７６とスライド孔７５が上下方向に揃う。この状態で、貫通孔７６及びスライド孔７５にボルト７３を下方から貫通し、その上端部に蝶ナット７４を取り付ける。この蝶ナット７４は、手締め可能なものとなっている。なお、ボルト７３は、蝶ナット７４ではなく、六角ナット等で締め付けるものであってもよい。
【００５１】
以上のようにして組み立てた軒樋支持部７は、蝶ナット７４を緩めて、摺動部７２を前後に動かすことで、前後方向の長さを調整することができる。蝶ナット７４を締めれば、その締めた位置で、軒樋支持部７の前後方向の長さを固定できる。
【００５２】
上述した構成の軒樋固定用支持具１は、図５（ａ）に示すように、取付部４を鼻隠し３に固定する状態で、接続部９と軒樋支持部７を前後に伸縮させることで、軒樋６の前後位置を幅広く調整することができる。
【００５３】
また、本実施形態の軒樋固定用支持具１は、図５（ｂ）に示すように、取付部４を軒天井２に固定する状態で、接続部９を上下に伸縮させ、軒樋支持部７を前後に伸縮させることで、軒樋６の上下位置と前後位置を調整することができる。
【００５４】
本実施形態の軒樋固定用支持具１は、以上のように接続部９と軒樋支持部７を伸縮させることで、軒樋６を軒先の最適な位置に配置させることができる。この最適な位置とは、例えば、屋根２０の先端の直下に軒樋６の底面６１が位置することをいう。
【００５５】
続いて、図６を用いて、軒天井２と鼻隠し３のなす角が、α（αは９０°未満）である場合について説明する。つまり、鼻隠し３が鉛直な外壁面で、軒天井２が鼻隠し３となす角がαとなる外壁面である場合について説明する。
【００５６】
図６は、取付面４０に対して接続部９が垂直に接続されている固定具１０を、第二傾斜面８０の面上で１８０度回転させる前と、回転させた後の様子を合わせて示している。この回転前後で、固定具１０の連結部５の第一傾斜面５０は、位置及び傾きが変化していない。ここで、図６に示す通り、第一傾斜面５０と取付面４０のなす角は（９０−α／２）となっており、第二傾斜面８０と水平面のなす角は、（α／２）となっている。
【００５７】
つまり、第一傾斜面５０と取付面４０のなす角が（９０−α／２）となり、第二傾斜面８０と水平面のなす角が（α／２）となるように軒樋固定用支持具１を構成することで、軒樋支持部７にて軒樋６を水平に支持したままで、取付面４０を、軒天井２と鼻隠し３の両方に選択的に取り付けることができる。
【００５８】
以上まとめると、本発明の第一と第二の実施形態の軒樋固定用支持具１は、固定具１０と軒樋支持具１１とからなる。固定具１０は、鼻隠し３または軒天井２に取り付けるための取付面４０を有する取付部４を一端に備えるとともに、第一傾斜面５０を有する連結部５を他端に備える。軒樋支持具１１は、軒樋６を水平に支持する軒樋支持部７を備えるとともに、一端に第二傾斜面８０を有する被連結部８を備える。そして、連結部５と被連結部８は、第一傾斜面５０と第二傾斜面８０を当接させて着脱自在に連結している。そして、取付面４０を鼻隠し３に取り付ける状態から、固定具１０を第二傾斜面８０の面上で１８０度回転させた状態が、取付面４０を軒天井２に取り付ける状態となるように設けている。
【００５９】
このような構成とすることで、軒樋６を水平に支持した状態で、軒天井２と鼻隠し３の両方に、軒樋固定用支持具１を選択的に固定することができる。そのため、軒天井２が経年劣化等で、破損していたり変形していたりして、軒天井２への軒樋固定用支持具１の固定が困難な場合には、鼻隠し３に軒樋固定用支持具１を固定することができる。また、逆に鼻隠し３が破損していたり、変形していたりした場合は、軒天井２に軒樋固定用支持具１を固定することができる。
【００６０】
また、本発明の第二の実施形態の軒樋固定用支持具１では、固定具１０は、取付部４と連結部５の間の長さが調整自在である。
【００６１】
このような構成とすることで、取付部４を鼻隠し３に固定した状態で、取付部４から連結部５までの長さを調整すると、軒樋支持部７で支持する軒樋６の前後位置を最適な位置に調整することができる。また、取付部４を軒天井２に固定した状態で、取付部４から連結部５までの長さを調整すると、軒樋支持部７で支持する軒樋６の上下位置を最適な位置に調整することができる。
【００６２】
また、本発明の第二の実施形態の軒樋固定用支持具１では、軒樋支持具１１は、軒樋支持部７と被連結部８の間の長さが調整自在である。
【００６３】
このような構成とすることで、取付部４を鼻隠し３または軒天井２に固定した状態で、被連結部８から軒樋支持部７までの長さを調整すると、軒樋支持部７で支持する軒樋６の前後位置を調整することができる。このようにして、本実施形態の軒樋固定用支持具１は、軒樋６の前後位置を最適な位置に調整することができる。
【００６４】
ここで、固定具１０は、取付部４と連結部５の間の長さが調整自在であり、且つ、軒樋支持具１１は、軒樋支持部７と被連結部８の間の長さが調整自在である場合、取付部４を鼻隠し３に固定した状態で、取付部４から軒樋支持部７までの長さを幅広く調整できる。そのため、この軒樋固定用支持具１は、軒樋支持部７で支持する軒樋６の前後位置を幅広く調整することができるので、軒樋６の前後位置を最適な位置に調整しやすいものとなっている。また、取付部４を軒天井２に固定した状態では、取付部４から連結部５までの上下長さを調整し、被連結部８から軒樋支持部７までの前後長さを調整できる。そのため、この軒樋固定用支持具１は、軒樋支持部７で支持する軒樋６の前後位置及び上下位置の両方を調整することができるので、軒樋６の前後位置及び上下位置を最適な位置に調整しやすいものとなっている。
【００６５】
また、本発明の第一と第二の実施形態の軒樋固定用支持具１は、第一傾斜面５０と取付面４０とのなす角が４５度である。
【００６６】
このような構成とすることで、鉛直な壁面である鼻隠し３と、水平な壁面である軒天井２のどちらか適切なほうに、軒樋６を水平な状態で固定できる。
【００６７】
また、本発明の第一と第二の実施形態の軒樋固定用支持具１は、固定具１０が、一端に取付部４を接続するとともに他端に連結部５を接続した接続部９を備える。そして、取付部４の取付面４０は、接続部９が接続する部分を中心に、互いに逆方向に突出する第一取付面４１と、第二取付面４２とからなる。そして、第一取付面４１の突出長さを第二取付面４２の突出長さよりも長く設けてある。そして、第一取付面４１に、第二取付面４２よりも多数の固着孔４３を設けてある。
【００６８】
このように、第一取付面４１に多数の固着孔４３を設けたことで、固定具１０を軒天井２に固定する状態などの第一取付面４１に大きなモーメントがかかる場合でも、第一取付面４１を確実に軒天井２に固定して、軒樋６を安定して軒先に支持することができる。
【００６９】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００７０】
１      軒樋固定用支持具
１０    固定具
１１    軒樋支持具
２      軒天井
３      鼻隠し
４      取付部
４０    取付面
４１    第一取付面
４２    第二取付面
４３    固着孔
５      連結部
５０    第一傾斜面
６      軒樋
７      軒樋支持部
８      被連結部
８０    第二傾斜面
９      接続部
【図１】
2012112159.tif 000003
【図２】
2012112159.tif 000004
【図３】
2012112159.tif 000005
【図４】
2012112159.tif 000006
【図５】
2012112159.tif 000007
【図６】
2012112159.tif 000008
【図７】
2012112159.tif 000009